(57)【要約】【課題】適切な面積で粘着テープを重ねてラップ巻きをすることができ、粘着テープの消費量を低減することができる電線巻付用粘着テープおよびワイヤハーネスを提供する。【解決手段】本発明による電線巻付用粘着テープ１は、車両に配索する電線群２の外周に巻き付ける電線巻付用粘着テープ１であって、幅方向の中央部に長さ方向に延在する第１の目印ライン３と、幅方向の中央部に第１の目印ラインと平行に離間して延在する第２の目印ライン４とが付されている。【選択図】図１
2014205763.tif 000002
【特許請求の範囲】
【請求項１】
複数の電線からなる電線群の外周に巻き付けられる電線巻付用粘着テープであって、
テープ本体に、幅方向の中央部に長さ方向に延在する第１の目印ラインと、幅方向の中央部に前記第１の目印ラインと平行に離間して延在する第２の目印ラインとが付されていることを特徴とする電線巻付用粘着テープ。
【請求項２】
前記第１の目印ラインは、前記テープ本体の地色と異なる色を有し、前記第２の目印ラインは、前記テープ本体の地色および前記第１の目印ラインの色とは異なる色を有することを特徴とする請求項１に記載の電線巻付用粘着テープ。
【請求項３】
前記第２の目印ラインは、前記第１の目印ラインよりライン幅が狭いことを特徴とする請求項１または請求項２に記載の電線巻付用粘着テープ。
【請求項４】
Ｎを１以上の数と定義し、テープ幅の１／Ｎを重ねるラップ巻きを行う場合に、前記第１の目印ラインは、その一方の端線がテープ幅の１／Ｎの位置に配置され、その他方の端線がテープ幅の０〜１／Ｎの範囲内に配置されるように付され、前記第２の目印ラインは、テープ幅の１／Ｎ〜１の範囲内に付されることを特徴とする請求項１ないし請求項３のうちいずれか１項に記載の電線巻付用粘着テープ。
【請求項５】
請求項１ないし請求項４のうちいずれか１項に記載の粘着テープが外周に巻き付けられた前記電線群からなるワイヤハーネスであって、
前記電線群は、後巻側の前記粘着テープのテープ端部が、先巻側の前記電線巻付用粘着テープの前記第１の目印ラインと前記第２の目印ラインとの間に位置するように連続して前記粘着テープが巻き付けられて構成されることを特徴とするワイヤハーネス。
【発明の詳細な説明】
【技術分野】
【０００１】
本発明は、車両等に配索される電線群に巻き付けられる電線巻付用粘着テープおよびワイヤハーネスに関する。
【背景技術】
【０００２】
従来、自動車等の車両に用いられるワイヤハーネスは、車両の配索経路に対応して複数の電線を組立作業板上で布線すると共に、布線された電線を束ねて電線群とし、この電線群に粘着テープを螺旋状に巻き付けることで束ねられている。この布線作業は、ワイヤハーネスの形態に応じて所定範囲毎に電線群にテープロールを手作業で巻回させることで粘着テープが巻き付けられる。
【０００３】
ところが、ワイヤハーネスの布線作業においては、電線群に粘着テープをハーフラップ巻きで螺旋状に巻き付けて電線群を結束保護する場合、ハーフラップ巻きが正確に実施されているか否かを外観検査するために手間がかかっていた。
【０００４】
そこで、例えば、粘着テープに、幅方向の中心部に長さ方向に連続してテープ本体の地色と異なる色とした目印ラインを付すことにより、この目印ラインを基準としてハーフフラップ巻きを行うことで、ハーフラップ巻きの品質を向上させるようにしたものがある（例えば、特許文献１参照）。
【０００５】
この粘着テープは、ハーフラップ巻き時に、幅方向中心の目印ラインが丁度隠れるように、ハーフラップ巻きされる。そのため、粘着テープでハーフラップ巻きされたワイヤハーネスを外観検査する際、目印ラインが外部に露出していると、先巻側の粘着テープが後巻側の粘着テープにより幅半分以下でしか重ねられていないことを一目で識別することができ、ハーフラップ巻きが完全に成されていないことを検出できる。
【先行技術文献】
【特許文献】
【０００６】
【特許文献１】特開２００９−３０１９４４号公報
【発明の概要】
【発明が解決しようとする課題】
【０００７】
しかしながら、特許文献１に記載されたハーフラップ巻きでは、重ねられている部分が少ないことを確認することができても、余分に重ねすぎていることを確認することはできなかった。このため、ハーフラップ巻きにおいて、余分に重ね過ぎているために、多くの粘着テープが使用されてしまうことになり、粘着テープの消費量が増大してしまうという問題があった。
【０００８】
本発明は、上述のような従来の問題を解決するためになされたもので、適切な面積で粘着テープを重ねてラップ巻きをすることができ、粘着テープの消費量を低減することができる電線巻付用粘着テープおよびワイヤハーネスを提供することを目的とする。
【課題を解決するための手段】
【０００９】
本発明に係る電線巻付用粘着テープは、上記目的達成のため、（１）複数の電線からなる電線群の外周に巻き付けられる電線巻付用粘着テープであって、テープ本体に、幅方向の中央部に長さ方向に延在する第１の目印ラインと、幅方向の中央部に前記第１の目印ラインと平行に離間して延在する第２の目印ラインとが付されているものから構成されている。
【００１０】
この電線巻付用粘着テープは、電線群にテープ本体をラップ巻きする場合に、第１の目印ラインを隠すように、かつ、第２の目印ラインを越えないように本体テープを巻回することによって、重ね足りない部分が無いように、かつ、重ね過ぎの部分が無いように、適切な面積で粘着テープを重ねてハーフラップ巻きをすることができる。この結果、粘着テープの消費量を必要最低限にすることができ、粘着テープの消費量が増大するのを防止することができる。
【００１１】
上記（１）に記載の電線巻付用粘着テープにおいて、（２）前記第１の目印ラインは、前記テープ本体の地色と異なる色を有し、前記第２の目印ラインは、前記テープ本体の地色および前記第１の目印ラインの色とは異なる色を有するものから構成されている。
【００１２】
この電線巻付用粘着テープは、第１の目印ラインと第２の目印ラインとを異なる色にする、特に、第２の目印ラインをテープ本体の地色に対して目立たない色にすることにより、ラップ巻きされた後のワイヤハーネスの見栄えを向上させることができる。
【００１３】
上記（１）または（２）に記載の電線巻付用粘着テープにおいて、（３）前記第２の目印ラインは、前記第１の目印ラインよりライン幅が狭くなるように構成されている。
【００１４】
この電線巻付用粘着テープは、第２の目印ラインの幅を狭くすることにより、ラップ巻きを行った後に、外観上、第２の目印ラインを目立たなくすることができ、見栄えを良くすることができる。
【００１５】
上記（１）〜（３）のいずれかに記載の電線巻付用粘着テープにおいて、（４）Ｎを１以上の数と定義し、テープ幅の１／Ｎを重ねるラップ巻きを行う場合に、前記第１の目印ラインは、その一方の端線がテープ幅の１／Ｎの位置に配置され、その他方の端線がテープ幅の０〜１／Ｎの範囲内に配置されるように付され、前記第２の目印ラインは、テープ幅の１／Ｎ〜１の範囲内に付されるように構成されている。
【００１６】
この電線巻付用粘着テープは、第１の目印ラインをラップ巻きにおいて重ねる部分の内側直近に配置することによって、あらゆるラップ巻きに対応することができる。
【００１７】
具体的に説明すると、例えば、１／３ラップ巻きに対しては、第１の目印ラインが、その一方の端線をテープ幅の１／３の位置に、その他方の端線をテープ幅の０〜１／３の範囲内に配置され、３分の１の重ね部分の内側直近に配置される。かかる第１の目印ラインを隠すようにラップ巻きをすれば、１／３ラップ巻きを行うことができる。
【００１８】
また、２／３ラップ巻きに対しては、第１の目印ラインが、その一方の端線をテープ幅の２／３の位置に、その他方の端線をテープ幅の０〜２／３の範囲内に配置され、３分の２の重ね部分の内側直近に配置される。かかる第１の目印ラインを隠すようにラップ巻きをすれば、２／３ラップ巻きを行うことができる。
【００１９】
上記（１）〜（４）のうちいずれかに記載の粘着テープが外周に巻き付けられた前記電線群からなるワイヤハーネスであって、前記電線群は、後巻側の前記粘着テープのテープ端部が、先巻側の前記電線巻付用粘着テープの前記第１の目印ラインと前記第２の目印ラインとの間に位置するように連続して前記粘着テープが巻き付けられて構成されている。
【００２０】
このワイヤハーネスは、粘着テープの消費量が増大するのを防止することができるため、結果的に、ワイヤハーネスの製造コストを低減することができる。
【発明の効果】
【００２１】
本発明によれば、適切な面積で粘着テープを重ねてラップ巻きをすることができ、粘着テープの消費量を低減することができる電線巻付用粘着テープおよびワイヤハーネスを提供できる。
【図面の簡単な説明】
【００２２】
【図１】本実施の形態に係る電線巻付用粘着テープを説明するための図であり、（ａ）は使用前の状態の斜視図、（ｂ）は平面図である。
【図２】本実施の形態に係るワイヤハーネスを説明するための図であり、（ａ）は斜視図、（ｂ）は長手方向の断面図、（ｃ）は幅方向の断面図である。
【図３】本実施の形態に係るワイヤハーネスに電線巻付用粘着テープをラップ巻きする手順を示した図であり、（ａ）は巻き始めの状態、（ｂ）は巻いている途中の状態、（ｃ）は完成した状態を示す。
【図４】本実施の形態に係る電線巻付用粘着テープの変形例を説明するための平面図であり、（ａ）は第１の変形例、（ｂ）は第２の変形例を示す。
【発明を実施するための形態】
【００２３】
以下、本発明に係る電線巻付用粘着テープおよびワイヤハーネスの実施の形態について、図面を用いて説明する。図１ないし図３は、本発明に係る電線巻付用粘着テープおよびワイヤハーネスの一実施の形態を示す図である。
【００２４】
図１、図２において、電線巻付用粘着テープ１は、複数の電線からなる電線群２を有するワイヤハーネス１０の外周に巻き付けられており、このワイヤハーネス１０は、自動車等の車両に配索されるものである。
【００２５】
電線巻付用粘着テープ１は、絶縁樹脂から成形したテープ本体５を備えており、このテープ本体５の表面には第１の目印ライン３および第２の目印ライン４が付されると共に、テープ本体５の裏面の全面に粘着層６が設けられている。
【００２６】
第１の目印ライン３は、テープ本体５の地色と異なる色を有する。例えば、第１の目印ライン３は、地色が黒色または濃紺色であるテープ本体５上に、白色または黄色で着色されて形成される。
【００２７】
第２の目印ライン４は、テープ本体５の地色および第１の目印ライン３の色とは異なる色を有する。例えば、第２の目印ライン４は、地色が黒色または濃紺色であるテープ本体５上に、赤色で着色されて形成される。後述するように、ハーフラップ巻きされた場合に、第１の目印ライン３が後巻側の電線巻付用粘着テープ１によって隠される。それに対して、第２の目印ライン４は、外側に露出することになり、ワイヤハーネス１０の完成状態で人目につくものであるので、外観を考慮して目立たないような色で着色される。
【００２８】
また、第２の目印ライン４は、第１の目印ライン３よりライン幅が狭くなるように構成される。例えば、第１の目印ライン３のライン幅は、２．０〜３．０ｍｍ程度であるのに対して、第２の目印ライン４のライン幅は、０．５〜１．０ｍｍ程度に構成される。本実施の形態においては、第１の目印ライン３のライン幅は、２．０ｍｍであるのに対して、第２の目印ライン４のライン幅は、０．５〜１．０ｍｍ程度に構成される。
【００２９】
ハーフラップ巻き（１／２ラップ巻き）を行う場合に、第１の目印ライン３は、その一方の端線３Ａがテープ幅の１／２の位置に配置され、その他方の端線３Ｂがテープ幅の位置０〜位置１／２の範囲内に配置されるように付され、第２の目印ライン４は、テープ幅の位置１／２〜位置１の範囲内に付される。すなわち、１／２ラップ巻きの際の第１の目印ライン３は、端線３Ａでテープ幅の１／２の位置を規定し、端線３Ｂは後巻きされるラップ代の全域に対してどの位置でもよい。また、１／２ラップ巻きの際の第２の目印ライン４は、ラップ代を除く残余の範囲全域に対してどの位置でもよい。なお、上述したラップ代とは１／２ラップ巻きの場合の基準ラップ代（１／２ラップ代）であり、位置０〜第２の目印ライン４までが許容ラップ代となる。
【００３０】
本実施の形態においては、テープ幅Ｗは、２５ｍｍであり、第１の目印ライン３は、その一方の端線３Ａが後巻側のテープ本体５の幅方向一端部（以下、「テープ端部１Ａ」という）より１２．５ｍｍに配置され、そのライン幅が２．０ｍｍであり、その他方の端線３Ｂがテープ本体の幅方向他端部（以下、「テープ端部１Ｂ」という）より１０．５ｍｍに配置される。そして、第２の目印ライン４は、その一方の端線が端線３Ａから、例えば、３．０〜５．０ｍｍだけ離れた位置に配置され、そのライン幅が０．５〜１．０ｍｍ程度である。なお、これらの寸法の数値は、例示であって、これに限定されるものではない。
【００３１】
この際、第２の目印ライン４の一方の端線を端線３Ａから３．０〜５．０ｍｍだけ離した位置に配置したのは、第２の目印ライン４の一方の端線が３．０ｍｍよりも端線３Ａに近いと手作業による巻き付け作業を迅速に行い難くなる。また、第２の目印ライン４の一方の端線を５．０ｍｍよりも離してしまうと重ね過ぎによる電線巻付用粘着テープ１の消費量が増大する傾向となるからである。なお、テープ端部１Ａは上記位置１を示し、テープ端部１Ｂは上記位置０を示す。
【００３２】
ここで、本実施の形態に係るワイヤハーネス１０を説明する。なお、ワイヤハーネス１０は、ケーブルハーネスとも呼称され、電源供給や信号通信に用いられる複数の電線を束にして集合部品としたものである。
【００３３】
ワイヤハーネス１０は、電線巻付用粘着テープ１が外周に巻き付けられた電線群２から構成される。また、図２に示すように、ワイヤハーネス１０において、電線群２は、後巻側の電線巻付用粘着テープ１のテープ端部１Ａが、先巻側の電線巻付用粘着テープ１の第１の目印ライン３と第２の目印ライン４との間に位置するように連続して電線巻付用粘着テープ１が巻き付けられて構成されている。
【００３４】
ここで、図３を参照して、電線群２の外周に電線巻付用粘着テープ１を巻き付けてワイヤハーネス１０を作成する工程を説明する。
【００３５】
先ず、電線群２は、図３に示すように、電線巻付用粘着テープ１を巻き付ける作業がし易いように、固定具Ｈによって保持される。
【００３６】
次に、図３（ａ）および図３（ｂ）に示すように、固定具Ｈに保持された電線群２の外周に電線巻付用粘着テープ１を、後巻側の電線巻付用粘着テープ１のテープ端部１Ａが先巻側の電線巻付用粘着テープ１の第１の目印ライン３と第２の目印ライン４との間に位置するように連続して巻き付けていく。
【００３７】
そして、電線群２のうちで被覆する必要がある範囲を電線巻付用粘着テープ１で巻き付け終わったら、図３（ｃ）に示すように、電線巻付用粘着テープ１を切断してワイヤハーネス１０が完成する。
【００３８】
本実施の形態に係る電線巻付用粘着テープ１は、第１の目印ライン３を隠すように、かつ、第２の目印ライン４を越えないように電線群２に巻回されることによって、重ね足りない部分が無いように、かつ、重ね過ぎの部分が無いようにすることができる。したがって、適切な面積で電線巻付用粘着テープ１を重ねてハーフラップ巻きをすることができ、電線巻付用粘着テープ１の消費量を低減することができる。
【００３９】
また、第１の目印ライン３と第２の目印ライン４とを異なる色にすることにより、また、第２の目印ライン４をテープ本体５の地色に対して目立たない色にすることによりラップ巻きされた後の外観をよくすることができる。
【００４０】
また、第２の目印ライン４の幅を狭くすることにより、ハーフラップ巻きを行った後に、外観上、第２の目印ライン４を目立たなくすることができ、見栄えを良くすることができる。
【００４１】
ここで、本実施の形態に係る電線巻付用粘着テープの変形例を説明する。
【００４２】
第１の変形例として、図４（ａ）に示すように、テープ幅の３分の１を重ねるラップ巻きを行う場合に、第１の目印ライン３は、その一方の端線３Ａがテープ幅の１／３の位置に配置され、その他方の端線３Ｂがテープ幅の位置０〜位置１／３の範囲内に配置されるように付されてもよい。そして、第２の目印ライン４は、テープ幅の位置１／３〜位置１の範囲内に付されてもよい。
【００４３】
また、第２の変形例として、図４（ｂ）に示すように、テープ幅の３分の２を重ねるラップ巻きを行う場合に、第１の目印ライン３は、その一方の端線３Ａがテープ幅の２／３の位置に配置され、その他方の端線３Ｂがテープ幅の位置０〜位置２／３の範囲内に配置されるように付されてもよい。そして、第２の目印ライン４は、テープ幅の位置２／３〜位置１の範囲内に付されてもよい。
【００４４】
例えば、第１の目印ライン３を、ラップ巻きにおいて重ねる部分（ラップ代）の内側直近に他方の端線３Ｂを配置することによって、あらゆるラップ巻きに対応することができる。
【００４５】
具体的に説明すると、例えば、１／３ラップ巻きに対しては、第１の目印ラインが、その一方の端線をテープ幅の１／３の位置に、その他方の端線をテープ幅の位置０〜位置１／３の範囲内に配置され、３分の１の重ね部分の内側直近に配置される。かかる第１の目印ラインを隠すようにラップ巻きをすれば、１／３ラップ巻きを行うことができる。
【００４６】
また、２／３ラップ巻きに対しては、第１の目印ラインが、その一方の端線をテープ幅の２／３の位置に、その他方の端線をテープ幅の位置０〜位置２／３の範囲内に配置され、３分の２の重ね部分の内側直近に配置される。かかる第１の目印ラインを隠すようにラップ巻きをすれば、２／３ラップ巻きを行うことができる。
【００４７】
以上、説明したように、本発明に係る電線巻付用粘着テープおよびワイヤハーネスは、適切な面積で粘着テープを重ねてラップ巻きをすることができ、粘着テープの消費量を低減することができるという効果を有し、車両等に配索される電線群に巻き付けられる電線巻付用粘着テープおよびワイヤハーネス等として有用である。
【符号の説明】
【００４８】
１…電線巻付用粘着テープ、１Ａ、１Ｂ…テープ端部、２…電線群、３…第１の目印ライン、３Ａ、３Ｂ…端線、４…第２の目印ライン、５…テープ本体、６…粘着層、１０…ワイヤハーネス、Ｈ…固定具
【図１】
2014205763.tif 000003
【図２】
2014205763.tif 000004
【図３】
2014205763.tif 000005
【図４】
2014205763.tif 000006